(57)【要約】【課題】画面表示を切り替える際にボタンが表示されない画面を経由することでユーザの誤操作を防止することが可能な電子機器を提供すること。【解決手段】少なくとも１以上のボタン部が配置された第１の画面及び第２の画面を表示する画面表示部と、所定の条件を満たした場合に画面表示部への画面表示を第１の画面から第２の画面に切り替える表示制御部と、を備え、表示制御部は、画面表示部に表示される画面を第１の画面から第２の画面へ遷移させる際に、ボタン部が配置されていない第３の画面を表示させ、該第３の画面を表示させてから所定の時間経過後に第２の画面を表示させる、電子機器が提供される。【選択図】図１
2011014004.tif 000002
【特許請求の範囲】
【請求項１】
少なくとも１以上のボタン部が配置された第１の画面及び第２の画面を表示する画面表示部と、
所定の条件を満たした場合に前記画面表示部への画面表示を前記第１の画面から前記第２の画面に切り替える表示制御部と、
を備え、
前記表示制御部は、前記画面表示部に表示される画面を前記第１の画面から前記第２の画面へ遷移させる際に、ボタン部が配置されていない第３の画面を表示させ、該第３の画面を表示させてから所定の時間経過後に前記第２の画面を表示させる、電子機器。
【請求項２】
前記第３の画面が前記画面表示部に表示されている場合に前記電子機器に対する入力操作が行われたときは、前記表示制御部は前記画面表示部への画面表示を前記第３の画面から前記第１の画面に遷移させる、請求項１に記載の電子機器。
【請求項３】
前記所定の条件は、前記第１の画面が前記画面表示部に表示されてから所定の時間が経過したことである、請求項１に記載の電子機器。
【請求項４】
前記所定の条件は、前記第１の画面が前記画面表示部に表示されている場合に所定の時刻が到達したことである、請求項１に記載の電子機器。
【請求項５】
前記所定の条件は、所定の場所を通過したことである、請求項１に記載の電子機器。
【請求項６】
前記画面表示部はタッチパネルである、請求項１に記載の電子機器。
【請求項７】
ユーザからの入力操作を受け付ける入力部をさらに備え、
前記所定の条件は、前記第１の画面が前記画面表示部に表示されている場合に前記入力部に対する入力操作が行われたことである、請求項１に記載の電子機器。
【請求項８】
前記入力部は、前記画面表示部の近傍に設けられている、請求項６に記載の電子機器。
【請求項９】
前記第１の画面には第１のボタン部が、前記第２の画面には第２のボタン部が、それぞれ表示され、
前記第２のボタン部は録画を開始するためのボタンである、請求項１に記載の電子機器。
【請求項１０】
少なくとも１以上のボタン部が配置された第１の画面及び第２の画面を表示する画面表示ステップと、
所定の条件を満たした場合に前記画面表示ステップにおける画面表示を前記第１の画面から前記第２の画面に切り替える表示制御ステップと、
を備え、
前記表示制御ステップは、前記画面表示ステップで表示される画面を前記第１の画面から前記第２の画面へ遷移させる際に、ボタン部が配置されていない第３の画面を表示させ、該第３の画面を表示させてから所定の時間経過後に前記第２の画面を表示させる、画面表示方法。
【請求項１１】
少なくとも１以上のボタン部が配置された第１の画面及び第２の画面を表示する画面表示ステップと、
所定の条件を満たした場合に前記画面表示ステップにおける画面表示を前記第１の画面から前記第２の画面に切り替える表示制御ステップと、
をコンピュータに実行させ、
前記表示制御ステップは、前記画面表示ステップで表示される画面を前記第１の画面から前記第２の画面へ遷移させる際に、ボタン部が配置されていない第３の画面を表示させ、該第３の画面を表示させてから所定の時間経過後に前記第２の画面を表示させる、コンピュータプログラム。
【発明の詳細な説明】
【技術分野】
【０００１】
本発明は、電子機器、画面表示方法及びコンピュータプログラムに関する。
【背景技術】
【０００２】
デジタルスチルカメラ、デジタルビデオカメラ、携帯電話その他の電子機器では、機器にキーやボタンを配して、これらのキーやボタンをユーザに操作してもらうことでユーザに当該機器を操作させるのが一般的である。ところが近年、電子機器の分野において、当該機器を操作するためにタッチパネル式の表示部を用意し、当該表示部にアイコンやボタンを表示して、それらのアイコンやボタンをユーザに直接触ってもらうことでユーザに操作させるものがある。表示部にアイコンやボタンを表示させることで、キーやボタンを省略することができ、また、表示部の画面サイズを大きくすることが可能となる。
【先行技術文献】
【特許文献】
【０００３】
【特許文献１】特開昭６１−１９４４６９号公報
【特許文献２】特開昭６０−８８６５６号公報
【発明の概要】
【発明が解決しようとする課題】
【０００４】
このようなタッチパネル式の表示部にボタンを表示する電子機器においては、ユーザからの操作が所定の時間行われないと、画面に表示されるボタンが自動的に切り替わるものがある。例えば、デジタルビデオカメラの場合には、電源を入れると表示部には機器の設定画面を開くためのボタンが表示され、所定の時間が経過すると表示部には録画を開始するためのボタンに切り替わるものがある。しかし、画面を自動的に切り替えてしまうと、ユーザの誤動作を招いてしまうという問題があった。例えば、機器の設定画面を開くためのボタンと、録画を開始するためのボタンとが同じような位置に配置される場合に、ユーザが機器の設定画面を開くためのボタンを押そうとしたタイミングで画面が切り替わり、間違って録画を開始するためのボタンを押してしまうケースが考えられる。
【０００５】
上記特許文献１、２には、ユーザからの操作が所定の時間行われないと画面が自動的に遷移する技術が開示されている。しかし、上記引用文献１、２に開示された技術では、ユーザからの操作が所定の時間行われないと表示部にはボタンが無い画像が表示されるので、ユーザが機器を操作することが出来ない。
【０００６】
そこで、本発明は、上記問題に鑑みてなされたものであり、本発明の目的とするところは、画面表示を切り替える際にボタンが表示されない画面を経由することでユーザの誤操作を防止することが可能な、新規かつ改良された電子機器、画面表示方法及びコンピュータプログラムを提供することにある。
【課題を解決するための手段】
【０００７】
上記課題を解決するために、本発明のある観点によれば、少なくとも１以上のボタン部が配置された第１の画面及び第２の画面を表示する画面表示部と、所定の条件を満たした場合に前記画面表示部への画面表示を前記第１の画面から前記第２の画面に切り替える表示制御部と、を備え、前記表示制御部は、前記画面表示部に表示される画面を前記第１の画面から前記第２の画面へ遷移させる際に、ボタン部が配置されていない第３の画面を表示させ、該第３の画面を表示させてから所定の時間経過後に前記第２の画面を表示させる、電子機器が提供される。
【０００８】
かかる構成によれば、画面表示部は少なくとも１以上のボタン部が配置された第１の画面及び第２の画面を表示し、表示制御部は所定の条件を満たした場合に画面表示部への画面表示を第１の画面から第２の画面に切り替える。そして表示制御部は、画面表示部に表示される画面を第１の画面から第２の画面へ遷移させる際に、ボタン部が配置されていない第３の画面を表示させ、該第３の画面を表示させてから所定の時間経過後に第２の画面を表示させる。その結果、画面表示を切り替える際にボタンが表示されない画面を経由することでユーザの誤操作を防止することが可能となる。
【０００９】
前記第３の画面が前記画面表示部に表示されている場合に前記電子機器に対する入力操作が行われたときは、前記表示制御部は前記画面表示部への画面表示を前記第３の画面から前記第１の画面に遷移させるようにしてもよい。
【００１０】
前記所定の条件は、前記第１の画面が前記画面表示部に表示されてから所定の時間が経過したことであってもよい。
【００１１】
前記所定の条件は、前記第１の画面が前記画面表示部に表示されている場合に所定の時刻が到達したことであってもよい。
【００１２】
前記所定の条件は、所定の場所を通過したことであってもよい。
【００１３】
前記画面表示部はタッチパネルであってもよい。
【００１４】
ユーザからの入力操作を受け付ける入力部をさらに備え、前記所定の条件は、前記第１の画面が前記画面表示部に表示されている場合に前記入力部に対する入力操作が行われたことであってもよい。
【００１５】
前記入力部は、前記画面表示部の近傍に設けられていてもよい。
【００１６】
前記第１の画面には第１のボタン部が、前記第２の画面には第２のボタン部が、それぞれ表示され、前記第２のボタン部は録画を開始するためのボタンであってもよい。
【００１７】
また、上記課題を解決するために、本発明の別の観点によれば、少なくとも１以上のボタン部が配置された第１の画面及び第２の画面を表示する画面表示ステップと、所定の条件を満たした場合に前記画面表示ステップにおける画面表示を前記第１の画面から前記第２の画面に切り替える表示制御ステップと、を含み、前記表示制御ステップは、前記画面表示ステップで表示される画面を前記第１の画面から前記第２の画面へ遷移させる際に、ボタン部が配置されていない第３の画面を表示させ、該第３の画面を表示させてから所定の時間経過後に前記第２の画面を表示させる、画面表示方法が提供される。
【００１８】
また、上記課題を解決するために、本発明の別の観点によれば、少なくとも１以上のボタン部が配置された第１の画面及び第２の画面を表示する画面表示ステップと、所定の条件を満たした場合に前記画面表示ステップにおける画面表示を前記第１の画面から前記第２の画面に切り替える表示制御ステップと、をコンピュータに実行させ、前記表示制御ステップは、前記画面表示ステップで表示される画面を前記第１の画面から前記第２の画面へ遷移させる際に、ボタン部が配置されていない第３の画面を表示させ、該第３の画面を表示させてから所定の時間経過後に前記第２の画面を表示させる、コンピュータプログラムが提供される。
【発明の効果】
【００１９】
以上説明したように本発明によれば、画面表示を切り替える際にボタンが表示されない画面を経由することでユーザの誤操作を防止することが可能な、新規かつ改良された電子機器、画面表示方法及びコンピュータプログラムを提供することができる。
【図面の簡単な説明】
【００２０】
【図１】本発明の第１の実施形態に係るデジタルビデオカメラ１００の外観について示す説明図である。
【図２】本発明の第１の実施形態に係るデジタルビデオカメラ１００の機能構成について示す説明図である。
【図３Ａ】本発明の第１の実施形態にかかるデジタルビデオカメラ１００のＬＣＤパネル１１０に表示される画像の一例について示す説明図である。
【図３Ｂ】本発明の第１の実施形態にかかるデジタルビデオカメラ１００のＬＣＤパネル１１０に表示される画像の一例について示す説明図である。
【図３Ｃ】本発明の第１の実施形態にかかるデジタルビデオカメラ１００のＬＣＤパネル１１０に表示される画像の一例について示す説明図である。
【図４】本発明の第１の実施形態にかかるデジタルビデオカメラ１００における画像表示処理の一例について示す流れ図である。
【図５】本発明の第１の実施形態にかかるデジタルビデオカメラ１００における画像表示処理の一例について示す流れ図である。
【図６Ａ】本発明の第２の実施形態にカーナビゲーションシステムに表示される画面の例を示す説明図である。
【図６Ｂ】本発明の第２の実施形態にカーナビゲーションシステムに表示される画面の例を示す説明図である。
【図６Ｃ】本発明の第２の実施形態にカーナビゲーションシステムに表示される画面の例を示す説明図である。
【図６Ｄ】本発明の第２の実施形態にカーナビゲーションシステムに表示される画面の例を示す説明図である。
【図６Ｅ】本発明の第２の実施形態にカーナビゲーションシステムに表示される画面の例を示す説明図である。
【図７Ａ】本発明の第３の実施形態にかかる食券自動販売機に表示される画面の例を示す説明図である。
【図７Ｂ】本発明の第３の実施形態にかかる食券自動販売機に表示される画面の例を示す説明図である。
【図７Ｃ】本発明の第３の実施形態にかかる食券自動販売機に表示される画面の例を示す説明図である。
【図８Ａ】本発明の第４の実施形態にかかる携帯電話４００、及び携帯電話４００に表示される画面の一例を示す説明図である。
【図８Ｂ】本発明の第４の実施形態にかかる携帯電話４００、及び携帯電話４００に表示される画面の一例を示す説明図である。
【図８Ｃ】本発明の第４の実施形態にかかる携帯電話４００、及び携帯電話４００に表示される画面の一例を示す説明図である。
【図９】コンピュータ９００の構成例を説明するための説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
＜１．第１の実施形態＞
［１−１．デジタルビデオカメラの外観］
［１−２．デジタルビデオカメラの機能構成］
［１−３．ＬＣＤパネルへの画像表示処理］
＜２．第２の実施形態＞
＜３．第３の実施形態＞
＜４．第４の実施形態＞
【００２３】
＜１．第１の実施形態＞
［１−１．デジタルビデオカメラの外観］
図１は、本発明の電子機器の一例である、本発明の第１の実施形態に係るデジタルビデオカメラ１００の外観について示す説明図である。以下、図１を用いて、本発明の第１の実施形態に係るデジタルビデオカメラ１００の外観について説明する。
【００２４】
図１に示したデジタルビデオカメラ１００は、動画像や静止画像の撮影が出来るように構成されているものである。そして、デジタルビデオカメラ１００には、撮影中の画像のいわゆるライブビュー表示や、撮影した画像の表示・再生のためのＬＣＤ（Ｌｉｑｕｉｄ  Ｃｒｙｓｔａｌ  Ｄｉｓｐｌａｙ）パネル１１０を備える表示部１２０が設けられている。表示部１２０は、デジタルビデオカメラ１００の本体部と結合するための軸（図示せず）を中心として回転可能に設けられており、ＬＣＤパネル１１０を撮影者が見易い位置に固定して撮影することが可能となっている。
【００２５】
以上、図１を用いて本発明の第１の実施形態にかかる撮像装置の外観について説明した。次に、本発明の第１の実施形態に係るデジタルビデオカメラ１００の機能構成について説明する。
【００２６】
［１−２．デジタルビデオカメラの機能構成］
図２は、本発明の第１の実施形態に係るデジタルビデオカメラ１００の機能構成について示す説明図である。以下、図２を用いて本発明の第１の実施形態に係るデジタルビデオカメラ１００の機能構成について説明する。
【００２７】
図２に示したように、本発明の第１の実施形態に係るデジタルビデオカメラ１００は、方位検出部１０１と、位置検出部１０２と、ＬＣＤパネル１１０と、ＣＰＵ１１１と、プログラムメモリ１１２と、画像用メモリ１１３と、ハードディスク１１４と、ＵＳＢ（Ｕｎｉｖｅｒｓａｌ  Ｓｅｒｉａｌ  Ｂｕｓ）コネクタ１１５と、操作入力部１１６と、ＬＥＤ表示部１１７と、カメラ部１２１と、画像処理部１２２と、表示処理部１２３と、を含んで構成される。
【００２８】
ＣＰＵ（Ｃｅｎｔｒａｌ  Ｐｒｏｃｅｓｓｉｎｇ  Ｕｎｉｔ）１１１は、プログラムメモリ１１２に格納されているプログラムを実行し、デジタルビデオカメラ１００全体の動作を制御する。ＣＰＵ１１１は、例えばユーザが操作入力部１１６に設けられた録画ボタンを押下したことを検出すると、録画処理を開始し、画像用メモリ１１３またはハードディスク１１４への画像データや映像データの記録処理を実行する。またＣＰＵ１１１は、ＬＣＤパネル１１０への画面表示を制御する。従ってＣＰＵ１１１は、本発明の表示制御部の一例として機能する。
【００２９】
画像用メモリ１１３は、デジタルビデオカメラ１００による撮像の結果得られた画像データや映像データを記憶する。
【００３０】
ハードディスク１１４は、画像用メモリ１１３と同様に、デジタルビデオカメラ１００による撮像の結果得られた画像データや映像データを記憶する。
【００３１】
ＵＳＢ（Ｕｎｉｖｅｒｓａｌ  Ｓｅｒｉａｌ  Ｂｕｓ）コネクタ１１５は、外部情報機器と接続するためのインターフェイスであり、ハードディスク１１４に記憶されている撮像画像等を接続先の外部情報機器へ送信したり、外部情報機器からのデータを受信したりする。
【００３２】
操作入力部１１６は、電源ボタン、シャッターボタン、カーソル移動ボタン、選択ボタンなどのボタンの押下情報を検出し、ＣＰＵ１１１に通知する。
【００３３】
ＬＥＤ表示部１１７は、たとえば光学ビューファインダやＬＣＤパネル１１０の近傍に設けられており、本実施形態では録画中であることを示す発光ダイオードや、充電状態を示す発光ダイオード等から構成されている。ＬＥＤ表示部１１７は、ＣＰＵ１１１と電気的に接続されており、デジタルビデオカメラ１００の状態に応じた色で、ＣＰＵ１１１からの制御信号に基づいて発光する。
【００３４】
カメラ部１２１は、レンズ、ＣＣＤ、アナログ信号処理部、Ａ／Ｄ変換器などから構成されており、撮像の結果得られた画像データを、画像処理部１２２に供給する。
【００３５】
画像処理部１２２は、カメラ部１２１から供給された画像データに対し、画像用メモリ１１３を利用して、ガンマ変換、色空間変換、ホワイトバランス等の画像処理を行うとともに、必要に応じて、その結果得られた画像データに対してＪＰＥＧ（Ｊｏｉｎｔ  Ｐｈｏｔｏｇｒａｐｈｉｃ  Ｅｘｐｅｒｔｓ  Ｇｒｏｕｐ）圧縮処理等を施し、その結果得られた画像データを、ＣＰＵ１１１を介してハードディスク１１４に記憶する。画像処理部１２２はまた、ハードディスク１１４に記憶されているＪＰＥＧ圧縮画像データに対してＪＰＥＧ伸張処理を行い、その結果得られた画像データを、ＣＰＵ１１１を介して、表示処理部１２３に供給する。
【００３６】
表示処理部１２３は、ＣＰＵ１１１を介して供給された画像データをＲＧＢ信号に変換して、ＬＣＤパネル１１０に供給して表示させる。
【００３７】
ＬＣＤパネル１１０には、表示処理部１２３でＲＧＢ信号に変換された画像が表示される。本実施形態においては、ＬＣＤパネル１１０はタッチパネル式の表示装置である。
【００３８】
方位検出部１０１は、地磁気をＸ軸Ｙ軸成分にとして検出し、地磁気ベクトルの方位を電気信号に変換する方位センサから構成されており、デジタルビデオカメラ１００が撮影方向と地軸に対してどれだけ傾いているかを検出する。方位検出部１０１は、ＣＰＵ１１１に電気的に接続されており、検出した傾き情報をＣＰＵ１１１に供給する。
【００３９】
位置検出部１０２は、ＧＰＳ（Ｇｌｏｂａｌ  Ｐｏｓｉｔｉｏｎｉｎｇ  Ｓｙｓｔｅｍ）受信機で構成されている。位置検出部１０２は、軌道上に複数個の衛星を配置し、各衛星から発射される電波が受信点に届くまでにかかる時間を測定することにより、軌道からの距離をもとに現在位置を測定する。本発明の第１の実施形態にかかるデジタルビデオカメラ１００は、静止画像や動画像の撮影時に、位置検出部１０２で現在位置を測定し、測定した現在位置の情報を、撮影した静止画像や動画像と関連付けて画像用メモリ１１３やハードディスク１１４に記録することができる。
【００４０】
以上、図２を用いて本発明の第１の実施形態にかかるデジタルビデオカメラ１００の機能構成について説明した。次に、本発明の第１の実施形態にかかるデジタルビデオカメラ１００における、ＬＣＤパネル１１０への画像表示処理について説明する。
【００４１】
［１−３．ＬＣＤパネルへの画像表示処理］
図３Ａ、図３Ｂ及び図３Ｃは、本発明の第１の実施形態にかかるデジタルビデオカメラ１００のＬＣＤパネル１１０に、ＣＰＵ１１１からの制御によって表示される、操作ボタンを含んだ画像の一例について示す説明図である。図３Ａ、図３Ｂ及び図３Ｃに示したような画像は、例えばＣＰＵ１１１によって生成され、表示処理部１２３によってＲＧＢ信号に変換され、ＬＣＤパネル１１０に供給されることでＬＣＤパネル１１０に表示されるものである。また図３Ａ、図３Ｂ及び図３Ｃに示した画像は、カメラ部１２１によって撮影されるライブビュー画像に重畳されてＬＣＤパネル１１０に表示されるものである。
【００４２】
図３Ａに示した画像１８０ａは、デジタルビデオカメラ１００の電源をオンにした直後にＬＣＤパネル１１０に表示される画面の一例である。画像１８０ａには、ボタン１８１、１８２、１８３が表示されている。本実施形態においては、ボタン１８３は現在地をＬＣＤパネル１１０に表示させるためのボタンである。ＬＣＤパネル１１０でボタン１８３が表示されている領域をユーザが指等で直接タッチすることで現在地の取得処理がＣＰＵ１１１によって開始される。ボタン１８１はメニュー画面をＬＣＤパネル１１０に表示させるためのボタンである。ＬＣＤパネル１１０でボタン１８１が表示されている領域をユーザが指等で直接タッチすることでＬＣＤパネル１１０にメニュー画面が表示される。ボタン１８２はデジタルビデオカメラ１００を使って録画した映像データ等の再生を実行するためのボタンである。ＬＣＤパネル１１０でボタン１８２が表示されている領域をユーザが指等で直接タッチすることで、デジタルビデオカメラ１００を使って録画した映像データ等がＬＣＤパネル１１０に再生表示される。
【００４３】
図３Ｂに示した画像１８０ｂは、図３Ａに示した画像１８０ａと同様に、ＬＣＤパネル１１０に表示される画面の一例である。図３Ｂに示したように、画像１８０ｂにはボタンが何も表示されていない。
【００４４】
図３Ｃに示した画像１８０ｃは、図３Ａに示した画像１８０ａ、図３Ｂに示した画像１８０ｂと同様に、ＬＣＤパネル１１０に表示される画面の一例である。画像１８０ｃには、ボタン１８４、１８５、１８６が表示されている。ボタン１８４は、ワイドズーム処理を実行するためのボタンである。ＬＣＤパネル１１０でボタン１８４が表示されている領域をユーザが指等で直接タッチすることで、ＣＰＵ１１１はカメラ部１２１に含まれているズームレンズを移動させてワイドズーム処理を実行する。ボタン１８５は、テレズーム処理を実行するためのボタンである。ＬＣＤパネル１１０でボタン１８５が表示されている領域をユーザが指等で直接タッチすることで、ＣＰＵ１１１はカメラ部１２１に含まれているズームレンズを移動させてテレズーム処理を実行する。ボタン１８６は、録画を開始するためのボタンである。ＬＣＤパネル１１０でボタン１８６が表示されている領域をユーザが指等で直接タッチすることで、デジタルビデオカメラ１００での録画処理が開始される。
【００４５】
本実施形態にかかるデジタルビデオカメラ１００では、電源が投入されて図３Ａに示した画像１８０ａがＬＣＤパネル１１０に表示されてから、所定の時間ユーザからの操作が行われないと、自動的に図３Ｃに示した画像１８０ｃへＬＣＤパネル１１０の表示を切り替える機能を有している。しかし、図３Ａに示した画像１８０ａから図３Ｃに示した画像１８０ｃへ直接切り替えると、以下のような問題が発生する。
【００４６】
例えば、図３Ａに示した画像１８０ａがＬＣＤパネル１１０に表示されている場合に、ユーザがＬＣＤパネル１１０に表示されたボタン１８２を指等でタッチして、録画した映像データ等の再生を実行しようとしたときに、ＬＣＤパネル１１０の表示が図３Ｃに示した画像１８０ｃに切り替わってしまうと、図３Ａに示したボタン１８２の位置と図３Ｃに示したボタン１８６の位置が近いので、ユーザは誤ってボタン１８６をタッチしてしまうことが考えられる。ユーザが誤ってボタン１８６をタッチしてしまうと、意図しない録画処理が始まってしまい、録画の停止や、誤って録画されてしまったデータの画像用メモリ１１３やハードディスク１１４からの消去作業といった手間が発生してしまう。また、仮に誤って録画がされたものであっても、データの記録媒体がメモリやハードディスクのようにデータの書き込み・消去が容易であるものであれば誤って録画されてしまったデータの消去は比較的容易である。しかし、データの記録媒体が、一度だけしか書き込みが出来ず、記録したデータの消去が出来ないものであれば、誤って録画してしまったデータの消去は非常に困難なものとなる。
【００４７】
そこで本発明の第１の実施形態にかかるデジタルビデオカメラ１００においては、図３Ａに示した画像１８０ａから、図３Ｃに示した画像１８０ｃに遷移させる際に、ボタンが何も表示されていない画像１８０ｂを経由させる。ボタンが何も表示されていない画像１８０ｂを経由することで、ユーザが意図していないボタン操作を回避することができる。
【００４８】
図４は、本発明の第１の実施形態にかかるデジタルビデオカメラ１００における画像表示処理の一例について示す流れ図である。以下、図４を用いて本発明の第１の実施形態にかかるデジタルビデオカメラ１００における画像表示処理の一例について説明する。なお、図４に示した流れ図においては、説明の便宜上、図３Ａに示した画像１８０ａを画像Ｘと、図３Ｂに示した画像１８０ｂを画像Ｙと、図３Ｃに示した画像１８０ｃを画像Ｚと、それぞれ称することにする。
【００４９】
デジタルビデオカメラ１００の電源が投入されると、ＣＰＵ１１１は、ＬＣＤパネル１１０へ画面Ｘを表示するように制御する（ステップＳ１０１）。続いてＣＰＵ１１１は、ＬＣＤパネル１１０へ画面Ｘを表示してから一定時間、ユーザの操作が行われなかったかどうかを判定する（ステップＳ１０２）。ステップＳ１０２の判定の結果、当該一定時間が経過していないとＣＰＵ１１１が判断した場合には、画面ＸのＬＣＤパネル１１０への表示を継続する。一方、ステップＳ１０２の判定の結果、デジタルビデオカメラ１００に対するユーザからの操作が何ら行われず、当該一定時間が経過したと判断した場合には、ＣＰＵ１１１は、ＬＣＤパネル１１０へ画面Ｙを表示するように制御する（ステップＳ１０３）。すなわち、ステップＳ１０３により、ＬＣＤパネル１１０に表示される画像が画面Ｘから画面Ｙに切り替わることになる。
【００５０】
上記ステップＳ１０３によってＬＣＤパネル１１０に画面Ｙが表示されると、ＣＰＵ１１１は、ＬＣＤパネル１１０へ画面Ｙを表示してから一定時間、ユーザの操作が行われなかったかどうかを判定する（ステップＳ１０４）。ステップＳ１０４の判定の結果、当該一定時間が経過していないとＣＰＵ１１１が判断した場合には、上記ステップＳ１０１に戻り、ＣＰＵ１１１はＬＣＤパネル１１０へ表示する画面を画面Ｘに切り替える。一方、ステップＳ１０４の判定の結果、デジタルビデオカメラ１００に対するユーザからの操作が何ら行われず、当該一定時間が経過したと判断した場合には、ＣＰＵ１１１は、ＬＣＤパネル１１０へ画面Ｚを表示するように制御する（ステップＳ１０５）。すなわち、ステップＳ１０５により、ＬＣＤパネル１１０に表示される画像が画面Ｙから画面Ｚに切り替わることになる。
【００５１】
なお、上記ステップＳ１０２における一定時間と、上記ステップＳ１０４における一定時間とは、同じ長さであっても良く、異なる長さであっても良いことは言うまでも無い。
【００５２】
上記ステップＳ１０５によってＬＣＤパネル１１０に画面Ｚが表示されると、ＣＰＵ１１１は、ＬＣＤパネル１１０へ画面Ｚを表示してから一定時間、ユーザの操作が行われなかったかどうかを判定する（ステップＳ１０６）。ステップＳ１０６の判定の結果、当該一定時間が経過したとＣＰＵ１１１が判断した場合には、ＣＰＵ１１１は画面ＺのＬＣＤパネル１１０への表示を継続する。一方、ステップＳ１０６の判定の結果、当該一定時間が経過していないとＣＰＵ１１１が判断した場合には、上記ステップＳ１０１に戻り、ＣＰＵ１１１はＬＣＤパネル１１０へ表示する画像を画面Ｘに切り替える。
【００５３】
このように、ＬＣＤパネル１１０へ表示する画像を画面Ｘから画面Ｚへ切り替える際に、何もボタンが表示されていない画面Ｙを経由して切り替えることで、デジタルビデオカメラ１００のユーザが意図しない操作を回避することが可能となる。すなわち、ユーザがボタン１８１を押そうとした場合に何もボタンが表示されていない画面ＹがＬＣＤパネル１１０に表示されると、ユーザはＬＣＤパネル１１０へのタッチを一瞬躊躇することになる。また、例えユーザがＬＣＤパネル１１０をタッチしてしまった場合であっても、ＬＣＤパネル１１０に表示されている画面は何もボタンが表示されていない画面Ｙなので、ユーザが意図していない操作がデジタルビデオカメラ１００において行われることを防ぐことができる。
【００５４】
なお、本発明の第１の実施形態にかかるデジタルビデオカメラ１００における、ＬＣＤパネル１１０への画像表示処理は、上述したものに限られない。ユーザの設定によって、画面Ｘから画面Ｙへの切り替えのみを実行したり、ＬＣＤパネル１１０に画面Ｘのみを表示し続けたりすることが可能である。図５は、本発明の第１の実施形態にかかるデジタルビデオカメラ１００における画像表示処理の別の例について示す流れ図である。以下、図５を用いて本発明の第１の実施形態にかかるデジタルビデオカメラ１００における画像表示処理の別の例について説明する。
【００５５】
デジタルビデオカメラ１００の電源が投入されると、ＣＰＵ１１１は、ＬＣＤパネル１１０へ画面Ｘを表示するように制御する（ステップＳ１１１）。続いてＣＰＵ１１１は、ＬＣＤパネル１１０へ画面Ｘを表示してから一定時間、ユーザからのデジタルビデオカメラ１００に対する操作が行われなかったかどうかを判定する（ステップＳ１１２）。ステップＳ１１２の判定の結果、当該一定時間が経過していないとＣＰＵ１１１が判断した場合には、画面ＸのＬＣＤパネル１１０への表示を継続する。一方、ステップＳ１１２の判定の結果、デジタルビデオカメラ１００に対するユーザからの操作が何ら行われず、当該一定時間が経過したと判断した場合には、ＣＰＵ１１１は、ＬＣＤパネル１１０へ画面Ｙを表示するように制御する（ステップＳ１１３）。すなわち、ステップＳ１１３により、画面ＸがＬＣＤパネル１１０に表示されてから、ユーザからの操作が何ら行われずに一定時間が経過すると、ＬＣＤパネル１１０に表示される画像が、ＣＰＵ１１１の制御により画面Ｘから画面Ｙに切り替わることになる。
【００５６】
上記ステップＳ１１３によってＬＣＤパネル１１０に画面Ｙが表示されると、ＣＰＵ１１１は、ＬＣＤパネル１１０へ画面Ｙを表示してから一定時間、ユーザの操作が行われなかったかどうかを判定する（ステップＳ１１４）。ステップＳ１１４の判定の結果、当該一定時間が経過していないとＣＰＵ１１１が判断した場合には、上記ステップＳ１０１に戻り、ＣＰＵ１１１はＬＣＤパネル１１０へ表示する画面を画面Ｘに切り替える。一方、ステップＳ１１４の判定の結果、デジタルビデオカメラ１００に対するユーザからの操作が何ら行われず、当該一定時間が経過したと判断した場合には、ＣＰＵ１１１は画面ＹのＬＣＤパネル１１０への表示を継続する。
【００５７】
以上、本発明の第１の実施形態にかかるデジタルビデオカメラ１００における、ＬＣＤパネル１１０への画像表示処理について説明した。
【００５８】
以上説明したように本発明の第１の実施形態にかかるデジタルビデオカメラ１００によれば、タッチパネル式のＬＣＤパネル１１０に表示させるボタン付きの画像の表示を切り替える際に、ボタンが何も表示されていない画像を経由する。ボタンが何も表示されていない画像を経由して、ＬＣＤパネル１１０に表示させるボタン付きの画像の表示を切り替えることで、ユーザが意図していない操作を回避することが可能となる。
【００５９】
＜２．第２の実施形態＞
本発明の第１の実施形態では、所定の時間が経過した場合にＬＣＤ１１０に表示される画面の内容が変化するデジタルビデオカメラ１００において、ボタンが何も表示されていない画面を経由することで、ユーザが意図していない操作を回避することができる点について説明した。このように、ボタンが何も表示されていない画面を経由することで、ユーザが意図していない操作を回避できる画像表示処理を実行することが出来る機器は、何も本発明の第１の実施形態で説明したデジタルビデオカメラに限ったものではないことは言うまでも無い。以下においては、ボタンが何も表示されていない画面を経由することで、ユーザが意図していない操作を回避できる画像表示処理を実行することを特徴とする電子機器の他の例を説明する。
【００６０】
本発明の第２の実施形態では、上述した画面表示処理をカーナビゲーションシステムに適用した場合について説明する。図６Ａ、図６Ｂ、図６Ｃ、図６Ｄ及び図６Ｅは、本発明の第２の実施形態にカーナビゲーションシステムに表示される画面の例を示す説明図である。なお、本発明の第２の実施形態にカーナビゲーションシステムの具体的な外観や構成等については省略する。
【００６１】
図６Ａに示した画面２８０ａは、通常走行時に表示される通常走行画面の一例である。画面２８０ａには、ボタン２８１、２８２が表示されている。本発明の第２の実施形態にかかるカーナビゲーションシステムにおいては、画面をユーザの指等で直接タッチすることで操作することが可能であるように構成されている。従って、本実施形態に係るカーナビゲーションシステムのユーザは、画面２８０ａには、ボタン２８１、２８２を指等でタッチすることで、カーナビゲーションシステムを操作することができる。
【００６２】
図６Ｂに示した画面２８０ｂは、本実施形態に係るカーナビゲーションシステムを搭載した自動車が交差点に近づいた場合に表示される分岐路拡大画面の一例である。画面２８０ｂには、画面２８０ａに表示されているボタン２８１、２８２とは異なるボタン２８３、２８４が表示されている。ボタン２８３、２８４は、それぞれ、ボタン２８１、２８２とは、タッチ時に実行される機能が異なるものである。
【００６３】
図６Ｃに示した画面２８０ｃは、本実施形態に係るカーナビゲーションシステムを搭載した自動車が交差点を通過して通常走行時に戻った場合に表示される通常走行画面の一例である。画面２８０ｃには、画面２８０ａと同じボタン２８１、２８２が表示されている。
【００６４】
本実施形態に係るカーナビゲーションシステムにおいては、画面２８０ａから画面２８０ｂへの切り替え、及び画面２８０ｂから画面２８０ｃへの切り替えは、当該カーナビゲーションシステムを搭載した自動車の位置情報に基づいて実行される。すなわち、交差点に近づくと、カーナビゲーションシステムが表示する画面は通常走行画面（画面２８０ａ）から分岐路拡大画面（画面２８０ｂ）に自動的に切り替わり、交差点を通過すると、カーナビゲーションシステムが表示する画面は分岐路拡大画面（画面２８０ｂ）から通常走行画面（画面２８０ｃ）に自動的に切り替わる。
【００６５】
ここで、本実施形態に係るカーナビゲーションシステムのユーザが、当該カーナビゲーションシステムに通常走行画面（画面２８０ａ）が表示されている場合に、ボタン２８２を押そうとした瞬間に画面が分岐路拡大画面（画面２８０ｂ）に切り替わると、当該ユーザは誤ってボタン２８４を押してしまう恐れがあり、当該カーナビゲーションシステムにおいてユーザの意図しない動作が行われてしまう恐れがある。
【００６６】
同様に、本実施形態に係るカーナビゲーションシステムのユーザが、当該カーナビゲーションシステムに分岐路拡大画面（画面２８０ｂ）が表示されている場合に、ボタン２８４を押そうとした瞬間に画面が通常走行画面（画面２８０ｃ）に切り替わると、当該ユーザは誤ってボタン２８２を押してしまう恐れがあり、当該カーナビゲーションシステムにおいてユーザの意図しない動作が行われてしまう恐れがある。
【００６７】
そこで、本実施形態に係るカーナビゲーションシステムでは、通常走行画面（画面２８０ａ）から分岐路拡大画面（画面２８０ｂ）に自動的に切り替わる際に、また分岐路拡大画面（画面２８０ｂ）から通常走行画面（画面２８０ｃ）に自動的に切り替わる際に、ボタンが表示されていない画面を経由することで、ユーザの意図しない動作が行われてしまうことを防ぐことを特徴とする。
【００６８】
図６Ｄに示した画面２８０ｄは、図６Ａに示した通常走行画面（画面２８０ａ）から図６Ｂに示した分岐路拡大画面（画面２８０ｂ）へ自動的に切り替わる際に、画面２８０ｂを表示する前に、本実施形態に係るカーナビゲーションシステムに表示される分岐路拡大画面の一例である。図６Ｄに示した画面２８０ｄには、ボタンが何一つ表示されていない。通常走行画面（画面２８０ａ）から分岐路拡大画面（画面２８０ｂ）に自動的に切り替わる際に、図６Ｄに示すようなボタンが何一つ表示されていない画面を表示することで、ユーザの意図しない動作が行われてしまうことを防ぐことが可能となる。
【００６９】
図６Ｅに示した画面２８０ｅは、図６Ｂに示した分岐路拡大画面（画面２８０ｂ）から図６Ｃに示した通常走行画面（画面２８０ｃ）へ自動的に切り替わる際に、画面２８０ｂを表示する前に、本実施形態に係るカーナビゲーションシステムに表示される通常走行画面の一例である。図６Ｅに示した画面２８０ｅには、ボタンが何一つ表示されていない。分岐路拡大画面（画面２８０ｂ）から通常走行画面（画面２８０ｃ）に自動的に切り替わる際に、図６Ｅに示すようなボタンが何一つ表示されていない画面を表示することで、ユーザの意図しない動作が行われてしまうことを防ぐことが可能となる。
【００７０】
以上説明したように、本発明の第２の実施形態にかかるカーナビゲーションシステムでは、画面を自動的に切り替える際に、ボタンが何も表示されていない画面を経由することで、ユーザの意図しない動作が行われてしまうことを防ぐことができる。
【００７１】
＜３．第３の実施形態＞
本発明の第２の実施形態では、本発明の第１の実施形態で説明した画面表示処理をカーナビゲーションシステムに適用した場合について説明した。本発明の第３の実施形態では、食堂やファーストフード店等が多数設けられたフードコート等に設置される、タッチパネル式の食券自動販売機に、本発明の第１の実施形態で説明した画面表示処理を適用した場合について説明する。
【００７２】
図７Ａ、図７Ｂ及び図７Ｃは、本発明の第３の実施形態にかかる食券自動販売機に表示される画面の例を示す説明図である。なお、本発明の第３の実施形態に食券自動販売機の具体的な外観や構成等については省略する。
【００７３】
図７Ａに示した画面３８０ａは、食事を提供する店舗を選択するための店舗選択画面の一例である。画面３８０ａには、ボタン３８１、３８２、３８３が表示されており、利用客は指等でボタン３８１、３８２、３８３のいずれかをタッチすることで店舗を選択することができる。
【００７４】
図７Ｂに示した画面３８０ｂは、図７Ａに示した画面３８０ａで店舗を選択した後に表示されるメニュー選択画面の一例である。図７Ｂに示した画面３８０ｂには、図７Ａに示した画面３８０ａで選択した店舗において注文ができるメニューが、ボタン３８４、３８５、３８６、３８７として表示されている。
【００７５】
このような画面が表示される本発明の第３の実施形態に係る食券自動販売機では、食券を購入しようとしたものの利用客が食券を購入せずにその場を立ち去った場合などを想定し、図７Ｂに示したメニュー選択画面（画面３８０ｂ）が表示されてから、所定の時間操作が行われなければ、図７Ａに示した店舗選択画面（画面３８０ａ）に自動的に遷移させることができる。
【００７６】
しかし、利用客がメニュー選択画面（画面３８０ｂ）で表示されているボタンを押そうとしたときに、上記所定の時間が経過してしまうと、図７Ａに示した店舗選択画面（画面３８０ａ）に自動的に遷移してしまい、利用客は誤って、意図していない店舗を選択してしまう恐れがある。例えば、画面３８０ｂが本発明の第３の実施形態に係る食券自動販売機に表示されていた場合において、利用客がボタン３８６をタッチしようとするときに、画面が店舗選択画面（画面３８０ａ）に自動的に切り替わってしまうと、利用客は誤ってボタン３８３をタッチしてしまう恐れがある。
【００７７】
そこで、本発明の第３の実施形態に係る食券自動販売機では、図７Ｂに示したメニュー選択画面（画面３８０ｂ）から図７Ａに示した店舗選択画面（画面３８０ａ）に自動的に遷移させる際に、ボタンが何ら表示されていない画面を経由することで、利用者の誤操作を防ぐことを特徴とする。
【００７８】
図７Ｃで示した画面３８０ｃは、図７Ｂに示したメニュー選択画面（画面３８０ｂ）から図７Ａに示した店舗選択画面（画面３８０ａ）に自動的に遷移させる際に経由する画面の例である。本発明の第３の実施形態に係る食券自動販売機では、図７Ｂに示したメニュー選択画面（画面３８０ｂ）が表示されてから、所定の時間操作が行われなければ、図７Ａに示した店舗選択画面（画面３８０ａ）に自動的に遷移させる前に、図７Ｃで示した画面３８０ｃを表示する。そして、当該食券自動販売機は、図７Ｃで示した画面３８０ｃを表示してから所定の時間が経過すると、図７Ａに示した店舗選択画面（画面３８０ａ）に自動的に遷移させる。
【００７９】
このように、図７Ｂに示したメニュー選択画面（画面３８０ｂ）から図７Ａに示した店舗選択画面（画面３８０ａ）に自動的に遷移させる際に、ボタンが何ら表示されていない画面３８０ｃを経由することで、利用者の誤操作を防ぐことが可能となる。
【００８０】
＜４．第４の実施形態＞
本発明の第３の実施形態では、食堂やファーストフード店等が多数設けられたフードコート等に設置される、タッチパネル式の食券自動販売機に、本発明の第１の実施形態で説明した画面表示処理を適用した場合について説明した。本発明の第４の実施形態では、液晶パネルとファンクションキーとを備える携帯電話に本発明の第１の実施形態で説明した画面表示処理を適用した場合について説明する。
【００８１】
図８Ａ、図８Ｂ、及び図８Ｃは、本発明の第４の実施形態にかかる携帯電話４００、及び携帯電話４００に表示される画面の一例を示す説明図である。
【００８２】
図８Ａに示した画面４８０ａは、携帯電話４００でアラーム機能が実行されている場合に表示される画面の例である。画面４８０ａには、アラームを停止するためのボタン４８１が表示されている。携帯電話４００は、アラーム機能を実行している場合にボタン４８１に対応するファンクションキー４９１が押下されると、アラーム機能を停止する。また、携帯電話４００は、アラーム機能を実行している場合に、携帯電話４００に対する操作が一定時間行われないと、自動的にアラーム機能を停止し、図８Ｂに示した待ち受け画面（画面４８０ｂ）に自動的に画面表示を遷移する。
【００８３】
図８Ｂに示した画面４８０ｂは、携帯電話４００に表示される待ち受け画面の例である。携帯電話４００でアラーム機能が実行され、携帯電話４００に対する操作が一定時間行われないと、携帯電話４００は自動的にアラーム機能を停止し、図８Ｂに示した待ち受け画面（画面４８０ｂ）に自動的に画面表示を遷移する。図８Ｂに示した画面４８０ｂには、メール機能を起動するためのボタン４８２が表示されている。携帯電話４００は、待ち受け画面を表示している場合にボタン４８２に対応するファンクションキー４９１が押下されると、メール機能を起動する。
【００８４】
このような画面表示を行う携帯電話４００でアラーム機能が実行されている場合において、ユーザがアラームを止めようとしてファンクションキー４９１を押下しようとしたときに、ちょうど上記一定時間が経過して、画面が図８Ｂに示した待ち受け画面（画面４８０ｂ）に遷移してしまうと、ユーザが意図しないメール機能の起動が携帯電話４００で行われてしまう。
【００８５】
そこで、本発明の第４の実施形態にかかる携帯電話４００では、携帯電話４００でアラーム機能が実行されている場合に表示される画面から待ち受け画面に自動的に遷移する場合に、ボタンが表示されていない待ち受け画面を経由することで、ユーザが意図しない操作の実行を防ぐことを特徴とする。
【００８６】
図８Ｃに示した画面４８０ｃは、本発明の第４の実施形態にかかる携帯電話４００が、図８Ａに示したアラーム画面（画面４８０ａ）から図８Ｂに示した待ち受け画面（画面４８０ｂ）へ自動的に表示を遷移させる場合に経由する待ち受け画面の例である。図８Ｃに示した画面４８０ｃには、ボタンが表示されていない。従って、図８Ｃに示した画面４８０ｃが携帯電話４００に表示されている場合に、ユーザがファンクションキー４９１を押下しても、携帯電話４００は何らの処理も実行しない。そして、図８Ｃに示した画面４８０ｃが携帯電話４００に表示されてから一定の時間が経過すると、携帯電話４００は図８Ｂに示した待ち受け画面（画面４８０ｂ）の表示に切り替える。
【００８７】
このように、図８Ａに示したアラーム画面（４８０ａ）から図８Ｂに示した待ち受け画面（画面４８０ｂ）へ自動的に表示を遷移させる際に、ボタンが表示されていない待ち受け画面（画面４８０ｃ）を経由することで、ユーザの誤操作を防ぐことが可能となる。
【００８８】
なお、上記各実施形態で説明した一連の処理は、専用のハードウエアにより実行させてもよいが、ソフトウエアにより実行させてもよい。一連の処理をソフトウエアにより行う場合、図９に示すような汎用又は専用のコンピュータ９００にプログラムを実行させることにより、上記の一連の処理を実現することができる。
【００８９】
図９は、プログラムを実行することにより一連の処理を実現するコンピュータ９００の構成例を説明するための説明図である。一連の処理を行うプログラムのコンピュータ９００による実行について説明すれば、以下のようになる。
【００９０】
図９に示すように、コンピュータ９００は、例えば、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、バス９０４、９０６と、ブリッジ９０５と、インターフェイス９０７と、入力装置９０８と、出力装置９０９と、ＨＤＤその他のストレージ装置９１０と、ドライブ９１１と、ＵＳＢその他の接続ポート９１２と、通信装置９１３となどを有する。これらの各構成は、ブリッジ９０５により接続されたバス９０４及びバス９０６や、インターフェイス９０７等を介して相互に情報を伝達可能に接続されている。
【００９１】
プログラムは、例えば、記録装置の一例である、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などのストレージ装置９１０、ＲＯＭ９０２、ＲＡＭ９０３等に記録しておくことがきる。
【００９２】
また、プログラムは、例えば、フレキシブルディスクなどの磁気ディスク、各種のＣＤ（Ｃｏｍｐａｃｔ  Ｄｉｓｃ）・ＭＯ（Ｍａｇｎｅｔｏ  Ｏｐｔｉｃａｌ）ディスク・ＤＶＤ（Ｄｉｇｉｔａｌ  Ｖｅｒｓａｔｉｌｅ  Ｄｉｓｃ）等の光ディスク、半導体メモリ等のリムーバブル記憶媒体（図示せず）に、一時的又は永続的に記録しておくこともできる。このようなリムーバブル記憶媒体は、いわゆるパッケージソフトウエアとして提供することもできる。これらのリムーバブル記憶媒体に記録されたプログラムは、ドライブ９１１により読み出されて、インターフェイス９０７・バス９０４、９０６等を介して上記の記録装置に記録されてもよい。
【００９３】
更に、プログラムは、例えば、ダウンロードサイト・他のコンピュータ・他の記録装置等（図示せず）に記録しておくこともできる。この場合、プログラムは、ＬＡＮ（Ｌｏｃａｌ  Ａｒｅａ  Ｎｅｔｗｏｒｋ）・インターネット等のネットワーク（図示せず）を介して転送され、通信装置９１３がこのプログラムを受信する。また、このプログラムは、ＵＳＢ（Ｕｎｉｖｅｒｓａｌ  Ｓｅｒｉａｌ  Ｂｕｓ）等の接続ポート９１２に接続された他の記録装置や通信装置等から転送されてもよい。そして、通信装置９１３又は接続ポート９１２が受信したプログラムは、インターフェイス９０７やバス９０４、９０６等を介して上記の記録装置に記録されてもよい。
【００９４】
そして、ＣＰＵ９０１が、上記の記録装置に記録されたプログラムに従い各種の処理を実行することにより、上記の一連の処理が、実現される。この際、ＣＰＵ９０１は、例えば、上記の記録装置からプログラムを、直接読み出して実行してもよく、ＲＡＭ９０３に一旦ロードした上で実行してもよい。更にＣＰＵ９０１は、例えば、プログラムを通信装置９１３やドライブ９１１を介して受信する場合、受信したプログラムを記録装置に記録せずに直接実行してもよい。
【００９５】
更に、ＣＰＵ９０１は、必要に応じて、例えばマウス・キーボード・マイク（図示せず）等の入力装置９０８や、接続ポート９１２に接続された他の入力装置から入力する信号や情報に基づいて各種の処理を行ってもよい。
【００９６】
そして、ＣＰＵ９０１は、上記の一連の処理を実行した結果を、例えばモニタなどの表示装置・スピーカやヘッドホンなどの音声出力装置等の出力装置９０９から出力してもよい。更にＣＰＵ９０１は、必要に応じてこの処理結果を通信装置９１３や接続ポート９１２から送信してもよく、上記の記録装置やリムーバブル記憶媒体に記録させてもよい。
【００９７】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【００９８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９９】
例えば、上記実施形態では、ＬＣＤパネル１１０に画面Ｘが表示されてから所定の時間が経過したことを条件に、ＬＣＤパネル１１０に表示する画面を画面Ｙ、画面Ｚの順に自動的に切り替えていたが、本発明はかかる例に限定されない。例えば、ＬＣＤパネル１１０に画面Ｘが表示されている場合に、予め指定された時刻に到達したことを条件として、画面Ｘから画面Ｙ、画面Ｚの順に自動的に切り替えるような表示制御を行ってもよい。
【０１００】
また例えば、上記実施形態では、ＬＣＤパネル１１０に画面Ｘが表示されてから所定の時間が経過したことを条件に、ＬＣＤパネル１１０に表示する画面を画面Ｙ、画面Ｚの順に自動的に切り替えていたが、本発明はかかる例に限定されない。例えば、ＬＣＤパネル１１０の近傍にユーザからの入力操作を受け付けるボタンを配置して、ＬＣＤパネル１１０に画面Ｘが表示されている場合に、当該ボタンが操作されたことを条件として、画面Ｘから画面Ｙ、画面Ｚの順に自動的に切り替えるような表示制御を行ってもよい。図１に示した本発明の第１の実施形態にかかるデジタルビデオカメラ１００では、表示部１２０にはＬＣＤパネル１１０のみが設けられているが、ＬＣＤパネル１１０の左側にデジタルビデオカメラ１００を操作するためのボタンを設けてもよく、当該ボタン操作を条件として画面の切り替えを開始するようにしてもよい。
【０１０１】
また例えば、上記実施形態では、ＬＣＤパネル１１０はタッチパネル式の表示装置であったが、本発明はかかる例に限定されない。例えば、赤外線センサを備えたリモートコントローラで画面に表示されたカーソルを操作する電子機器に、上記実施形態で説明した画像表示処理を適用してもよい。
【符号の説明】
【０１０２】
１００    デジタルビデオカメラ
１０１    方位検出部
１０２    位置検出部
１１０    ＬＣＤパネル
１１１    ＣＰＵ
１１２    プログラムメモリ
１１３    画像用メモリ
１１４    ハードディスク
１１５    ＵＳＢコネクタ
１１６    操作入力部
１１７    ＬＥＤ表示部
１２０    表示部
１２１    カメラ部
１２２    画像処理部
１２３    表示処理部
４００    携帯電話
９００    コンピュータ
９０１    ＣＰＵ
９０２    ＲＯＭ
９０３    ＲＡＭ
９０４    バス
９０５    ブリッジ
９０６    バス
９０７    インターフェイス
９０８    入力装置
９０９    出力装置
９１０    ストレージ装置
９１１    ドライブ
９１２    接続ポート
９１３    通信装置
【図１】
2011014004.tif 000003
【図２】
2011014004.tif 000004
【図３Ａ】
2011014004.tif 000005
【図３Ｂ】
2011014004.tif 000006
【図３Ｃ】
2011014004.tif 000007
【図４】
2011014004.tif 000008
【図５】
2011014004.tif 000009
【図６Ａ】
2011014004.tif 000010
【図６Ｂ】
2011014004.tif 000011
【図６Ｃ】
2011014004.tif 000012
【図６Ｄ】
2011014004.tif 000013
【図６Ｅ】
2011014004.tif 000014
【図７Ａ】
2011014004.tif 000015
【図７Ｂ】
2011014004.tif 000016
【図７Ｃ】
2011014004.tif 000017
【図８Ａ】
2011014004.tif 000018
【図８Ｂ】
2011014004.tif 000019
【図８Ｃ】
2011014004.tif 000020
【図９】
2011014004.tif 000021